(57)【要約】【課題】この発明は、位置や形状の異なるさまざまな骨欠損に適応でき、簡易かつ迅速に骨接合手術を行うことができる骨補填ブロックおよび骨接合用キットを提供することを目的とする。【解決手段】上述の課題を解決するため、この発明の骨補填ブロック３は、骨接合用プレート２に対してスライド可能に連結するための連結部６を有するものであり、骨補填ブロック３の種類や骨接合用プレート２の帯状部５上の位置を自由に選択でき、骨欠損部ｘの位置や形状に合わせて補填を行うことができる。【選択図】図１
2008289628.tif 000002
【特許請求の範囲】
【請求項１】
骨接合用プレートに対してスライド可能に連結するための連結部を有する骨補填ブロック。
【請求項２】
連結部として骨接合用プレートを内部に通す穴を有し、さらに骨接合用プレートに対して固定するための固定手段を有する請求項１に記載の骨補填ブロック。
【請求項３】
形状記憶合金よりなり、体温よりも低い第１の温度においては骨接合用プレートに対してスライド可能な形状であり、実質的に体温である第２の温度においては骨接合用プレートに固定される形状に変形する請求項２に記載の骨補填ブロック。
【請求項４】
長さ方向に沿って一定の断面形状を有する帯状部を有する骨接合用プレートと、この骨接合用プレートを内部に通す穴を有する骨補填ブロックよりなる骨接合用キット。
【発明の詳細な説明】
【技術分野】
【０００１】
この発明は、骨を接合するための治療において、骨欠損部を補填するための医療用具に関する。
【背景技術】
【０００２】
骨折などの治療において、骨を接合するためにチタンやステンレス等の金属で作られた骨接合用プレートが使用されている。これは、ボルト穴を多数備えた帯状のプレートであり、破断した複数の骨片を連結するものである。
【０００３】
また、特許文献１には頭蓋顎顔面骨の骨欠損部を補填するセラミック製骨補填材などのための接合具が記載されている。
【特許文献１】特開平０９−３２７４６９号公開特許公報
【発明の開示】
【発明が解決しようとする課題】
【０００４】
骨接合用プレートで接合できない骨片の部位は欠損部となる。この欠損部を補填しなければ、強固な接合は行えない。そこで、補填材を作成し、欠損部に取り付けることが行われている。しかし、欠損部の形状に合わせて個別に補填材を作成するには時間と労力を要する。しかし、あらゆる欠損部に対応できるだけの種類の補填材を常に備えておくことはできない。
【０００５】
特許文献１に記載された頭蓋顎顔面骨の骨欠損部を補填するセラミック製骨補填材は、挿入用孔を長孔とすることによって補填材の間隔を調整可能としている。しかし、２枚の基板によって骨の両面を挟み込む構造であり、頭蓋顎顔面骨のような限られた場合にしか適用できない。また、術後における仮骨の形成を阻害するおそれがある。
【０００６】
この発明は、位置や形状の異なるさまざまな骨欠損に適応でき、簡易かつ迅速に骨接合手術を行うことができる骨補填ブロックおよび骨接合用キットを提供することを目的とする。
【課題を解決するための手段】
【０００７】
上述の課題を解決するため、この発明の骨補填ブロックは、骨接合用プレートに対してスライド可能に連結するための連結部を有する。連結部として骨接合用プレートを内部に通す穴を有し、さらに骨接合用プレートに対して固定するための固定手段を有するものとしてもよい。また、形状記憶合金よりなり、体温よりも低い第１の温度においては骨接合用プレートに対してスライド可能な形状であり、実質的に体温である第２の温度においては骨接合用プレートに固定される形状に変形するようにしてもよい。
【０００８】
さらに、この発明の骨接合用キットは、長さ方向に沿って一定の断面形状を有する帯状部を有する骨接合用プレートと、この骨接合用プレートを内部に通す穴を有する骨補填ブロックよりなる。
【発明の効果】
【０００９】
この発明のこの発明の骨補填ブロックは、骨接合用プレートに対してスライド可能に連結されているので、骨欠損の位置や形状に合わせて骨補填ブロックの種類は位置を自由に選択でき、さらに簡易かつ迅速に骨接合手術を行うことができるという効果を有する。
【発明を実施するための最良の形態】
【００１０】
この発明を実施するための最良の形態について、図面に基づいて説明する。図１は骨接合用キットを示す平面図、図２は同A断面図である。
【００１１】
骨接合用キット１は、骨接合用プレート２と骨補填ブロック３を有する。骨接合用プレート２は、すでに医療品として販売されているようなものも使用できる。接合しようとする骨部の外表面にほぼ沿った形状をしている。ボルトによって骨に結合するための穴４が多数設けられている。骨接合用プレート２は長さ方向に沿って概ね一定の断面形状を有する帯状部５を有する。
【００１２】
骨補填ブロック３は、骨欠損部を補填するのに適した形状になっている。そして、骨接合用プレート２に対してスライド可能に連結するための連結部６を有する。この例においては、連結部６として、骨接合用プレート２の帯状部５の断面よりやや大きい穴が形成されている。この連結部６の穴に骨接合用プレート２を通すことによって、骨接合用プレート２の帯状部５に対してスライド可能に骨補填ブロック３を連結することができる。
【００１３】
また、骨補填ブロック３には骨接合用プレート２に対して固定するための固定手段が設けられている。この例では、固定手段としてボルト穴７が形成されている。このボルト穴７にボルト８を取り付けて締めることによって、骨補填ブロック３のスライド運動が規制される。
【００１４】
この骨接合用プレート２と骨補填ブロック３は同じ種類の金属を素材とすることが好ましい。ステンレスやチタンなどな使用でき、特に生体に適合しやすいチタンが好ましい。また、後述のように生体に適合しやすいチタン系の形状記憶合金を使用してもよい。
【００１５】
また、骨補填ブロック３は大きさや形状が異なる複数のものを準備し、骨接合用プレート２と組み合わせて適用範囲の広い骨接合用キットにしてもよい。
【００１６】
ついで、骨接合用キットの使用方法について説明する。図３は骨接合用キットの使用状態を示す断面図である。
【００１７】
骨欠損部ｘの形状に合った骨補填ブロック３を選択し、骨補填ブロック３の穴に骨接合用プレート２を通して連結する。骨欠損部ｘの位置に合わせて骨接合用プレート２に対する骨補填ブロック３の位置を調整し、その位置を決定したら、ボルト８によって骨接合用プレート２と骨補填ブロック３を固定する。
【００１８】
さらに、ボルト９によって骨接合用プレート２を骨ｙに固定することによって、骨の結合および骨欠損部ｘの補填を行う。なお、骨接合用プレート２による骨の結合の後に、骨接合用プレート２と骨補填ブロック３の固定を行ってもよい。
【００１９】
こうして、骨欠損部ｘの位置および形状に合わせて補填を行いながら骨接合手術を簡易かつ迅速に行うことができる。
【００２０】
つぎに、この発明の別の実施形態について説明する。図４は骨補填ブロック３の別の例を示す断面図である。
【００２１】
ここで、骨補填ブロック３は形状記憶合金を素材としている。体温より低い温度に転移温度が設定されている。この転移温度より低い第１の温度において、骨補填ブロック３は図４に示すような形状をしている。このとき、骨補填ブロック３は骨接合用プレートに対してスライド可能に連結することができる。
【００２２】
一方、転移温度より高い第２の温度（体温程度）においては、骨補填ブロック３の連結部７の断面が骨接合用プレートに対するスライドを妨げるような形状を記憶させておく。
【００２３】
患部への取り付け前において骨補填ブロック３を転移温度より低い第１の温度に保つ。このとき、骨補填ブロック３は骨接合用プレート２に対してスライド可能であり、骨補填ブロック３を自由に調整できる。骨欠損部ｘの位置および形状に合わせて骨補填ブロック３を調整しながら、骨接合用プレート２を骨に取り付けて骨接合を行う。
【００２４】
骨接合用プレート２とともに骨補填ブロック３が人体に取り付けられると、骨補填ブロック３の温度は転移温度を越えてほぼ体温まで上昇する。このとき、骨補填ブロック３は記憶している形状に変形し、骨接合用プレート２に固定される。すなわち、この例においては、形状記憶合金の変形が骨接合用プレートに対して固定するための固定手段として作用する。
【図面の簡単な説明】
【００２５】
【図１】骨接合用キットを示す平面図である。
【図２】同A断面図である。
【図３】骨接合用キットの使用状態を示す断面図である。
【図４】骨補填ブロックの別の例を示す断面図である。
【符号の説明】
【００２６】
１．骨接合用キット
２．骨接合用プレート
３．骨補填ブロック
５．帯状部
６．連結部
７．固定手段（ボルト穴）
８．ボルト
ｘ．骨欠損部
ｙ．骨
【図１】
2008289628.tif 000003
【図２】
2008289628.tif 000004
【図３】
2008289628.tif 000005
【図４】
2008289628.tif 000006